(57)【要約】【課題】画像などの表示情報の整理・振り分けなどの操作を行う場合に利便性の高い情報整理システム、このシステム用のアプリケーションプログラム、およびこのシステム用のドライバを提供する。【解決手段】複数の画像などの情報がそれぞれ独立している表示情報を、整理して表示する情報整理システムにおいて、情報を表示する表示装置４と、表示装置４に表示された表示情報を操作する複数の操作器１、２と、複数の操作器１、２用のドライバと、表示装置４の表示情報を整理するためのアプリケーションプログラムとを持つ演算処理装置３とを備える。【選択図】  図１
2004355191.tif 000002
【特許請求の範囲】
【請求項１】
複数の画像などの情報がそれぞれ独立している表示情報を、整理して表示する情報整理システムにおいて、
情報を表示する表示装置（４）と、
前記表示装置（４）に表示された表示情報を操作する複数の操作器（１、２）と、
前記複数の操作器（１、２）用のドライバと、前記表示装置（４）の表示情報を整理するためのアプリケーションプログラムとを持つ演算処理装置（３）とを備えることを特徴とする情報整理システム。
【請求項２】
前記操作器（１、２）は、
この操作器（１、２）に対する移動操作を測定する移動距離測定部（１Ａ、２Ａ）と、
１つ以上のボタンを含み、このボタン操作による指示を入力するための命令指示部（１Ｂ、２Ｂ）とを備えることを特徴とする請求項１記載の情報整理システム。
【請求項３】
前記演算処理装置（３）は、それぞれの前記操作器（１、２）に対応するカーソルを前記表示装置（４）に表示し、この操作器（１、２）に対する移動操作を前記移動距離測定部（１Ａ、２Ａ）で測定し、測定結果に応じて、前記表示装置（４）に表示されているカーソルを移動させることを特徴とする請求項１または２記載の情報整理システム。
【請求項４】
前記演算処理装置（３）は、
前記表示情報の上にカーソルが移動されて前記命令指示部（１Ｂ、２Ｂ）が操作されると、この表示情報を選択する処理と、
前記カーソルが移動されると、選択された表示情報を移動に応じて動かす処理と、
前記表示情報が目的の場所まで移動された後、前記命令指示部（１Ｂ、２Ｂ）に対する操作によって、保持している表示情報を開放して、この表示情報の移動を確定する処理とを行い、
複数の操作器（１、２）で操作が繰り返されると、前記各処理を行って、複数の表示情報の選択・保持・確定をすることを特徴とする請求項３記載の情報整理システム。
【請求項５】
前記操作器（１、２）がポインティングデバイスであり、
前記演算処理装置（３）は、前記ポインティングデバイスのボタンの押下により表示情報を選択し、再度の押下により表示情報を開放することを特徴とする請求項４記載の情報整理システム。
【請求項６】
前記操作器（１、２）がポインティングデバイスであり、
前記演算処理装置（３）は、選択時のボタンが押し続けられている間だけ表示情報を保持し、このボタンが離されると、この表示情報を開放することを特徴とする請求項４記載の情報整理システム。
【請求項７】
前記演算処理装置（３）は、
前記操作器（１、２）の命令指示部（１Ｂ、２Ｂ）を通じて指示が入力されると、その操作器（１、２）のカーソルが保持している表示情報を別の操作器（１、２）の示すカーソル位置へ渡し、
受け渡す操作器（１、２）のカーソルが表示情報を既に保持している場合、表示情報を交換することを特徴とする請求項５または６記載の情報整理システム。
【請求項８】
請求項１〜４に記載の演算処理装置（３）に保持されている情報整理システム用のドライバであって、
前記複数の操作器（１、２）からの入力を処理し、入力元の操作器（１、２）の識別番号と入力値とを前記アプリケーションプログラムに受け渡すことを特徴とする情報整理システム用のドライバ。
【請求項９】
請求項１〜４に記載の演算処理装置（３）に保持されている情報整理システム用のアプリケーションプログラムであって、
前記表示装置（４）の画面上に複数の整理格納場所を持ち、表示情報を１つの整理格納場所から別の整理格納場所へ移動することで、前記表示情報の整理を行うことを特徴とする情報整理システム用のアプリケーションプログラム。
【請求項１０】
操作されている前記操作器（１、２）の識別番号と入力値とを出力するドライバからの入力を受けて、請求項１〜４に記載の表示情報の選択・保持・確定を行うことを特徴とする請求項９記載の情報整理システム用のアプリケーションプログラム。
【発明の詳細な説明】
【０００１】
【発明の属する技術分野】
本発明は、コンピュータのディスプレイなどに表示された情報を選択・保持し、整理する情報整理システム、このシステム用のアプリケーションプログラム、およびこのシステム用のドライバに関する。
【０００２】
【従来の技術】
パーソナルコンピュータなどの、情報を表示させる表示装置では、表示している情報（以下、表示情報という）に対する操作は主にマウスやタッチパネル、トラックボールなどのポインティングデバイスで行われている。パーソナルコンピュータの表示装置に情報が表示されている場合、画像などの表示情報を整理するとき、インターネットエクスプローラ（米国Ｍｉｃｒｏｓｏｆｔ  Ｃｏｒｐｏｒａｔｉｏｎの商標）などのファイラで整理する方法や、デジタルカメラ用の画像管理ソフトで画像を整理する方法がある。これらの方法は大きく分けて３つある。
ａ．１つめは、複数の表示情報をそれぞれ別個に操作する方法である。
ｂ．２つめは、マウスで範囲選択を行い、その範囲に入った表示情報を１度に操作する方法である。
ｃ．３つめは、定められたキーをマウス操作時に押し続けることで、順番に複数の表示情報を選択し、その後でそれら選択した表示情報全てを操作する方法である。
【０００３】
これらのａ〜ｃの方法は、片手でマウスなどを操作するので、利便性が悪い。そこで、両手を用いた操作が提案されている。この操作方法については、次の文献に記載されているような研究がある。
文献：中村聡史，塚本昌彦，西尾章治郎：２つのマウスを用いたウインドウ操作機構の設計と実装，ヒューマンインタフェース学会論文誌，Ｖｏｌ．２，Ｎｏ．４，ｐｐ．３０９−３２１，（Ｄｅｃ．２０００）．
【０００４】
このように、パーソナルコンピュータの表示装置上で画像などの表示情報を整理する場合、複数の表示情報を操作するためには、いくつかの方法がある。
【０００５】
【発明が解決しようとする課題】
しかし、前述した方法には、次のような課題がある。前記の中で１つめの方法（方法ａ）は、マウスを何度も往復させなければならないため、時間がかかり、効率が悪い。２つめの方法（方法ｂ）は、選択するものが１箇所に集まっていなければならず、また、範囲の中に選択したくない表示情報が入っているときも問題となる。３つめの方法（方法ｃ）は、キーを併用しなければならず、初心者にとっては直感的ではない上に、キーを離してしまうなど操作を間違えると、最初からやり直しになってしまうという問題があった。
【０００６】
一方、両手の操作に関しては、一般的に通常のＯＳ（オペレーティングシステム）では一度に操作するマウスカーソルは１つであり、複数のポインティングデバイスやマウスを接続したとしても、複数のカーソルは表示されない。
【０００７】
本発明は、前記の課題を解決し、画像などの表示情報の整理・振り分けなどの操作を行う場合に利便性の高い情報整理システム、このシステム用のアプリケーションプログラム、およびこのシステム用のドライバを提供することにある。
【０００８】
【課題を解決するための手段】
前記課題を解決するために、請求項１の発明は、複数の画像などの情報がそれぞれ独立している表示情報を、整理して表示する情報整理システムにおいて、情報を表示する表示装置と、前記表示装置に表示された表示情報を操作する複数の操作器と、前記複数の操作器用のドライバと、前記表示装置の表示情報を整理するためのアプリケーションプログラムとを持つ演算処理装置とを備えることを特徴とする情報整理システムである。
請求項２の発明は、請求項１記載の情報整理システムにおいて、前記操作器は、この操作器に対する移動操作を測定する移動距離測定部と、１つ以上のボタンを含み、このボタン操作による指示を入力するための命令指示部とを備えることを特徴とする。
請求項３の発明は、請求項１または２記載の情報整理システムにおいて、前記演算処理装置は、それぞれの前記操作器に対応するカーソルを前記表示装置に表示し、この操作器に対する移動操作を前記移動距離測定部で測定し、測定結果に応じて、前記表示装置に表示されているカーソルを移動させることを特徴とする。
請求項４の発明は、請求項３記載の情報整理システムにおいて、前記演算処理装置は、前記表示情報の上にカーソルが移動されて前記命令指示部が操作されると、この表示情報を選択する処理と、前記カーソルが移動されると、選択された表示情報を移動に応じて動かす処理と、前記表示情報が目的の場所まで移動された後、前記命令指示部に対する操作によって、保持している表示情報を開放して、この表示情報の移動を確定する処理とを行い、複数の操作器で操作が繰り返されると、前記各処理を行って、複数の表示情報の選択・保持・確定をすることを特徴とする。
請求項５の発明は、請求項４記載の情報整理システムにおいて、前記操作器がポインティングデバイスであり、前記演算処理装置は、前記ポインティングデバイスのボタンの押下により表示情報を選択し、再度の押下により表示情報を開放することを特徴とする。
請求項６の発明は、請求項４記載の情報整理システムにおいて、前記操作器がポインティングデバイスであり、前記演算処理装置は、選択時のボタンが押し続けられている間だけ表示情報を保持し、このボタンが離されると、この表示情報を開放することを特徴とする。
請求項７の発明は、請求項５または６記載の情報整理システムにおいて、前記演算処理装置は、前記操作器の命令指示部を通じて指示が入力されると、その操作器のカーソルが保持している表示情報を別の操作器の示すカーソル位置へ渡し、受け渡す操作器のカーソルが表示情報を既に保持している場合、表示情報を交換することを特徴とする。
請求項８の発明は、請求項１〜４に記載の演算処理装置に保持されている情報整理システム用のドライバであって、前記複数の操作器からの入力を処理し、入力元の操作器の識別番号と入力値とを前記アプリケーションプログラムに受け渡すことを特徴とする情報整理システム用のドライバである。
請求項９の発明は、請求項１〜４に記載の演算処理装置に保持されている情報整理システム用のアプリケーションプログラムであって、前記表示装置の画面上に複数の整理格納場所を持ち、表示情報を１つの整理格納場所から別の整理格納場所へ移動することで、前記表示情報の整理を行うことを特徴とする情報整理システム用のアプリケーションプログラムである。
請求項１０の発明は、請求項９記載の情報整理システム用のアプリケーションプログラムにおいて、操作されている前記操作器の識別番号と入力値とを出力するドライバからの入力を受けて、請求項１〜４に記載の表示情報の選択・保持・確定を行うことを特徴とする。
【０００９】
本発明によれば、利用者が両手で操作を行うための複数の操作器と、複数の操作器からの入力を処理するためのドライバおよびアプリケーションプログラムとを持つ演算処理装置とによって、画像などの表示情報を複数のカーソルでそれぞれ選択・保持し、整理することができる。
【００１０】
本発明の利用方法として、例えば画像などの表示情報を整理する際には、右手用カーソルをそれの整理先（振り分け先）へ置いておくことで、左手用のカーソルで、次々と表示情報を選択し、右手カーソルへ受け渡すことができる。これによって、表示情報を素早く整理することができる。また、利用者は表示情報の整理を効率的に行うことができる。
【００１１】
【発明の実施の形態】
以下、図面を参照して本発明の実施の形態を詳細に説明する。本実施の形態による情報整理システムを図１に示す。図１の情報整理システムは、画面移動用操作器１、２と演算処理装置３と表示装置４とを備えている。
【００１２】
演算処理装置３は、演算部３Ａと記憶部３Ｂと入力インターフェース（ＩＦ）３Ｃと出力インタフェース（ＩＦ）３Ｄとメモリ３Ｅとを備えている。これらは、演算処理装置３内部で、バス３Ｆによって接続されている。演算処理装置３は、例えばパーソナルコンピュータ（ＰＣ）であり、利用者の入力を処理し、その結果を表示装置４に出力する。
【００１３】
演算処理装置３の演算部３Ａは演算処理を行う。つまり、演算部３Ａは、記憶部３Ｂ、入力インターフェース３Ｃ、出力インタフェース３Ｄを管理し処理を行う。たとえば、演算部３Ａは、演算処理装置３に電源が投入されると、ＯＳ（オペレーティングシステム）を起動する。演算部３Ａは例えばＣＰＵ（ＣＥＮＴＲＡＬ  ＰＲＯＣＥＳＳＩＮＧ  ＵＮＩＴ）である。
【００１４】
記憶部３Ｂは、出力すべき情報などを保存、管理する。記憶部３Ｂには、アプリケーションプログラム３Ｂ１とドライバ３Ｂ２とが格納され、必要なときにメモリ３Ｅにロードされて利用される。記憶部３Ｂは例えばＨＤＤ（ハードディスクドライブ）がこれに相当する。
【００１５】
記憶部３Ｂに格納さているアプリケーションプログラム３Ｂ１は、表示装置４上の表示情報を整理するアプリケーションであり、ドライバ３Ｂ２から画面移動用操作器１、２の入力を受け付けて動作する。
【００１６】
ドライバ３Ｂ２は画面移動用操作器１、２から入力を受け付ける。ドライバ３Ｂ２は、例えばポート番号やＵＳＢ（シリアルインタフェース）のプロダクトＩＤ（識別情報）などで、演算処理装置３に接続された画面移動用操作器１、２を分別し、どの画面移動用操作器からどういう入力が行われたのかを検知し、画面移動用操作器１、２が操作されたときに、後述する移動距離測定部１Ａ、２Ａで測定された移動量や、後述する命令指示部１Ｂ、２Ｂで指示された入力値をアプリケーションプログラム３Ｂ１へ送る。
【００１７】
ドライバ３Ｂ２は、１つのドライバで全操作器の入力を管理してもよいが、複数のドライバを利用してもよい。たとえば、１つはＯＳ付属の標準ドライバで管理し、もう１つは新たに作成したドライバで管理するといったことが考えられる。
【００１８】
入力インターフェース３Ｃは利用者の入力を受ける。たとえば、ＵＳＢおよびコントローラがこれに相当する。出力インタフェース３Ｄは表示装置４に対して出力を行う。表示装置４は表示領域を持ち、出力インタフェース３Ｄから出力された情報を表示する。表示装置４は例えばディスプレイである。
【００１９】
画面移動用操作器１は、移動距離測定部１Ａと、１つ以上の命令指示部１Ｂとを備えている。通常のパーソナルコンピュータであれば、マウスなどのポインティングデバイスやジョイスティックが画面移動用操作器１として利用できる。たとえば、マウスの場合、移動距離測定部１Ａはボールの移動距離をカウントするセンサや光学センサであり、命令指示部１Ｂはマウスボタンに相当する。画面移動用操作器１が操作されたときに、移動距離測定部１Ａは移動量を測定し、命令指示部１Ｂには入力値が指示される。そして、画面移動用操作器１は、測定された移動量や指示された入力値を入力インターフェース３Ｃ、ドライバ３Ｂ２を経由してアプリケーションプログラム３Ｂ１へ送る。
【００２０】
画面移動用操作器２は移動距離測定部２Ａと命令指示部２Ｂとを備える。画面移動用操作器２は、画面移動用操作器１と同じであるので、説明を省略する。
【００２１】
以上が本実施の形態による情報整理システムの構成である。本実施の形態によれば、演算処理装置３が起動されると、演算部３Ａは、ＯＳを実行し、画面移動用操作器１用カーソル（右手カーソル）と画面移動用操作器２用カーソル（左手カーソル）と表示装置４に表示させる。この後、演算部３Ａは、アプリケーションプログラム３Ｂ１の実行の指示を利用者から受けると、アプリケーションプログラム３Ｂ１を起動して実行する。
【００２２】
この後、例えば表示装置４に表示された画像の表示情報をアプリケーションプログラム３Ｂ１によって整理する際には、利用者の右手で画面移動用操作器１を操作し、右手カーソルをそれの整理先へ置いておき、左手で画面移動用操作器２を操作し、左手カーソルで次々と表示情報を選択し、右手カーソルへ受け渡すことで、画像の表示情報を素早く整理することができる。
【００２３】
【実施例】
以下、実施例によりさらに詳しく本発明を説明する。
［実施例１］
本実施例による情報整理システムを図２に示す。図２の情報整理システムは、右手用マウス１１と左手用マウス１２とパーソナルコンピュータ１３とディスプレイ１４とを備えている。本実施例では、右手用マウス１１が、前述した実施の形態の画面移動用操作器１に相当し、左手用マウス１２が画面移動用操作器２に相当する。また、パーソナルコンピュータ１３が、実施の形態の演算処理装置３に相当し、ディスプレイ１４が表示装置４に相当する。
【００２４】
パーソナルコンピュータ１３は、ＣＰＵ１３ＡとＨＤＤ１３ＢとＵＳＢポート１３ＣとＬＡＮ（ローカルエリアネットワーク）カード１３Ｄとビデオボード１３ＥとＲＡＭ（Ｒａｎｄｏｍ  Ａｃｃｅｓｓ  Ｍｅｍｏｒｙ）１３Ｆとを備えている。これらは、パーソナルコンピュータ１３内で、バス１３Ｇによって接続されている。ＣＰＵ１３Ａは、前述した実施の形態の演算部３Ａに相当し、ＨＤＤ１３Ｂは、実施の形態の記憶部３Ｂに相当する。ＵＳＢポート１３Ｃは、実施の形態の入力インターフェース３Ｃに相当し、ビデオボード１３Ｅは、実施の形態の出力インタフェース３Ｄに相当し、ＲＡＭ１３Ｆは、実施の形態のメモリ３Ｅに相当する。
【００２５】
ＨＤＤ１３Ｂには、アプリケーションプログラム１３Ｂ１と左用ドライバ１３Ｂ２と標準ドライバ１３Ｂ３とが格納されている。アプリケーションプログラム１３Ｂ１は、前記の実施の形態のアプリケーションプログラム３Ｂ１と同じである。
【００２６】
左用ドライバ１３Ｂ２は左手用マウス１２から入力を受け付け、標準ドライバ１３Ｂ３は右手用マウス１１から入力を受け付ける。左用ドライバ１３Ｂ２は、別途作成された左手用のドライバであり、標準ドライバ１３Ｂ３は、標準ＯＳに付属する標準ドライバである。また、ＣＰＵ１３Ａは、パーソナルコンピュータ１３が起動されてＯＳが実行されたときに、右手用マウス１１用の右カーソルと左手用マウス１２用の左カーソルとを表示する。
【００２７】
ＵＳＢポート１３Ｃは、前述した実施の形態の入力インターフェース３Ｃに相当する。ＬＡＮカード１３Ｄは、ネットワーク２１にパーソナルコンピュータ１３を接続するためのインタフェースである。ビデオボード１３Ｅは、前述した実施の形態の出力インタフェース３Ｄに対応する。また、ＲＡＭ１３Ｆは、実施の形態のメモリ３Ｅに対応する。
【００２８】
本実施例は前記の構成である。本実施例では、ネットワーク２１に接続されたＷｉｎｄｏｗｓ（登録商標）パーソナルコンピュータ１３に右手用マウス１１および左手用マウス１２を接続し、左右の手で操作を行う。ここでの例は、画像検索サービスである。具体的には、Ｗｉｎｄｏｗｓ（登録商標）パーソナルコンピュータ１３から検索用サーバ２２へキーワード等の送信を行い、その結果が、パーソナルコンピュータ１３のディスプレイ１４に、複数の画像ファイルとして表示されるサービスを考える。この際、右手用マウス１１は標準ＯＳの機能として制御を行い、ドライバは標準ドライバ１３Ｂ３を利用する。また、左手用マウス１２は、別途作成した左用ドライバ１３Ｂ２を利用する。
【００２９】
パーソナルコンピュータ１３が起動され、ＣＰＵ１３ＡがＯＳを実行すると、ＯＳによって、ディスプレイ１４に左カーソルと右カーソルとが表示される。この後、アプリケーションプログラム１３Ｂ１が実行されると、アプリケーションプログラム１３Ｂ１は、左用ドライバ１３Ｂ２と標準ドライバ１３Ｂ３とから、右手用マウス１１と左手用マウス１２とからの入力をそれぞれ受け付け、左手用カーソルを所定の位置へ表示する。右手用は表示もＯＳの標準機能を用いる。
【００３０】
利用者は、右手用マウス１１と左手用マウス１２とを用いて、検索結果を自分のフォルダ（アルバム）へ整理して記録していく。たとえば、図３に示すように、ディスプレイ１４の表示画面１４Ａには、検索用サーバ２２から受信した複数の画像１４Ａ１１が表示される。同時に、画像１４Ａ１１を整理するための格納場所がアルバムとして表示される。本実施例では、アルバムとして「アルバム１動物」、「アルバム２子供」などが表示される。
【００３１】
利用者は、左手用マウス１２を操作して、図３に示す検索結果の表示画面１４Ａの中から、左手カーソル１４Ａ１で画像１４Ａ１１を所定の操作（例えば右クリック）で選択する。表示画面１４Ａの右側にある、いずれかのアルバム、例えば「アルバム４」へ格納したい場合は、所定のボタン（例えば右ボタン）をクリックし、右手カーソル１４Ａ２に受け渡す。このとき、受け渡す右手用マウス１１の右手カーソル１４Ａ２が表示情報を保持している場合には、表示情報同士を交換する。また、右手用マウス１１と左手用マウス１２とによる画像１４Ａ１１の選択と開放とは、マウスのボタンの押下により画像１４Ａ１１を選択し、再度の押下により画像１４Ａ１１を開放する。この他にも、ボタンが押し続けられている間だけ画像１４Ａ１１を選択し、このボタンが離されると、画像１４Ａ１１を開放するようにしてもよい。
【００３２】
表示画面１４Ａの場合、右手カーソル１４Ａ２の方が右側の「アルバム４」に近いため、右手カーソル１４Ａ２を少し動かせば、その画像を保存したいアルバムに入れることができる。表示画面１４Ａの左側のアルバムへ入れたい場合は、左手カーソル１４Ａ１の方が近いので、左手カーソル１４Ａ１で格納する。この場合には、左カーソル１４Ａ１を移動して左手用マウス１２のボタンを操作すると、画像が選択される。この後、左カーソル１４Ａ１を移動すると、選択された画像が移動する。そして、画像をアルバムまで移動した後、左手用マウス１２のボタンを操作すると、左カーソル１４Ａ１によって保持されている画像が開放されて、画像の移動が確定される。
【００３３】
こうして、本実施例によれば、左手カーソル１４Ａ１および右手カーソル１４Ａ２を表示画面１４Ａに表示して、右手用マウス１１と左手用マウス１２とで操作するので、カーソルの総移動距離を減らすことができる。
【００３４】
［実施例２］
本実施例を図４に示す。なお、図４では、先に説明した図３と同一もしくは同一と見なされる構成要素には、それと同じ参照符号を付けて、その説明を省略する。また、本実施例では、実施例１からネットワーク２１と検索用サーバ２２とを除いたものとなっている。
【００３５】
本実施例では、例えばデジタルカメラで撮った画像を整理するアルバムソフトへの利用や、ファイラを用いたファイル整理がある。本実施例では、ＨＤＤ１３Ｂにファイラ１３Ｂ１１が保存されている。ファイラ１３Ｂ１１は、アプリケーションプログラムの１種であり、ファイルを管理する。
【００３６】
利用者は、ファイルのドラッグによる移動やファイルの受け渡しなどの操作を、両手を用いて行い、うまく受け渡し操作を利用することで、片手操作に比べて移動距離を抑えて、効率的に整理を行うことができる。
【００３７】
以上、この発明の実施の形態と実施例１、２とを詳述してきたが、具体的な構成はこれらに限られるものではなく、この発明の要旨を逸脱しない範囲の設計の変更等があっても、この発明に含まれる。たとえば、本実施の形態、実施例１、２では、２つの画面移動用操作器または２つのマウスを用いたが、ドライバを増やすことによって、使用可能な画面移動用操作器やマウスを増加することができる。
【００３８】
また、実施の形態の演算処理装置３と実施例１、２のＣＰＵ１３Ａは、ＯＳが実行されたときに、右カーソルと左カーソルを表示したが、左カーソルは、アプリケーションプログラム３Ｂ１、１３Ｂ１が実行されたとき、このアプリケーションプログラム３Ｂ１、１３Ｂ１によって表示してもよい。
【００３９】
【発明の効果】
以上、説明したように、本発明によれば、画像などの表示情報を複数のカーソルでそれぞれ選択・保持し、整理することができる。これによって、マウスの移動距離を抑えることができる。また、従来のように、マウスで範囲選択を行い、その範囲に入った表示情報を１度に操作することを不要にし、さらに、マウス操作時に定められたキーを押し続けることで、順番に複数の表示情報を選択し、その後でそれら選択した表示情報全てを操作することを不要にして、効率的に表示情報の整理を行うことができる。
【図面の簡単な説明】
【図１】本発明の一実施の形態を示すブロック図である。
【図２】本発明の実施例１を示すブロック図である。
【図３】表示画面の一例を示す図である。
【図４】本発明の実施例２を示すブロック図である。
【符号の説明】
１、２  画面移動用操作器
１Ａ、２Ａ  移動距離測定部
１Ｂ、２Ｂ  命令指示部
３  演算処理装置
３Ａ  演算部
３Ｂ  記憶部
３Ｂ１  アプリケーションプログラム
３Ｂ２  ドライバ
３Ｃ  入力インターフェース
３Ｄ  出力インタフェース
３Ｅ  メモリ
３Ｆ  バス
４  表示装置
１１  右手用マウス
１２  左手用マウス
１３  パーソナルコンピュータ
１３Ａ  ＣＰＵ
１３Ｂ  ＨＤＤ
１３Ｂ１  アプリケーションプログラム
１３Ｂ２  左用ドライバ
１３Ｂ３  標準ドライバ
１３Ｂ１１  ファイラ
１３Ｃ  ＵＳＢポート
１３Ｄ  ＬＡＮカード
１３Ｅ  ビデオボード
１３Ｆ  ＲＡＭ
１３Ｇ  バス
１４  ディスプレイ
１４Ａ  表示画面
１４Ａ１  左手カーソル
１４Ａ２  右手カーソル
２１  ネットワーク
２２  検索用サーバ
【図１】
2004355191.tif 000003
【図２】
2004355191.tif 000004
【図３】
2004355191.tif 000005
【図４】
2004355191.tif 000006